(57)【要約】      （修正有）【課題】撮影機能付きの無線マウス受信機構造を提供する。【解決手段】受信機本体１と回動連接部材２及び信号受信ユニット３が含有され、受信機本体は、固定部材１１と可動部材１２が含有され、固定部材に、コンピュータホストに電気的に接続されるための電気接続ポート１１１が設けられ、可動部材は、撮影ユニットが設けられ、回動連接部材は固定部材と可動部材との間に連接され、該回動連接部材を回動すると、該可動部材が連動されて回動し、可動部材上の撮影ユニットにより、多角度で撮影でき、信号受信ユニットは、該受信機本体に設置され、上記の設計により、ユーザーが、コンピュータホストの一つの電気接続ポートだけを使用して、同時に、無線マウスと撮影ユニットを操作でき、有効的にコンピュータホストの電気接続ポートを利用する。【選択図】図１
0003132530.tif 000002
【実用新案登録請求の範囲】
【請求項１】
固定部材と可動部材が含有され、該固定部材に、電気接続ポートが設けられ、該可動部材に、撮影ユニットが設けられる受信機本体と、    
該固定部材と該可動部材との間に連接される回動連接部材と、
該受信機本体に設置される信号受信ユニットとが含有されることを特徴とする撮影機能付きの無線マウス受信機構造。
【請求項２】
該回動連接部材は、ユニバーサルジョイントであることを特徴とする請求項１に記載の撮影機能付きの無線マウス受信機構造。    
【請求項３】
該可動部材は、連接部と撮影部が含有され、該連接部が、該回動連接部材に連接され、該撮影ユニットが、該撮影部に設けられ、該連接部に、第１の連接器が設けられ、該撮影部に、第２の連接器が設けられ、該第１の連接器が、電気的に該第２の連接器に接続されることを特徴とする請求項１に記載の撮影機能付きの無線マウス受信機構造。    
【請求項４】
該第１の連接器と該第２の連接器は、ＵＳＢやＩＥＥＥ１３９４規格であることを特徴とする請求項３に記載の撮影機能付きの無線マウス受信機構造。    
【請求項５】
該電気接続ポートは、ＵＳＢやＩＥＥＥ１３９４規格であることを特徴とする請求項１に記載の撮影機能付きの無線マウス受信機構造。    
【請求項６】
該電気接続ポートが、台座に挿設されることにより、電気的に接続されることを特徴とする請求項１に記載の撮影機能付きの無線マウス受信機構造。    
【請求項７】
該台座は、充電器であることを特徴とする請求項６に記載の撮影機能付きの無線マウス受信機構造。    
【請求項８】
該電気接続ポートが、固定クリップに挿設されることにより、電気的に接続されることを特徴とする請求項１に記載の撮影機能付きの無線マウス受信機構造。    
【請求項９】
該撮影ユニットは、該可動部材に内蔵されることを特徴とする請求項１に記載の撮影機能付きの無線マウス受信機構造。    
【請求項１０】
該信号受信ユニットは、ブルートゥース（登録商標）無線通信受信モジュールやＧＳＭ無線通信受信モジュールであることを特徴とする請求項１に記載の撮影機能付きの無線マウス受信機構造。    
【請求項１１】
電気接続ポートと信号受信ユニットが設けられる受信機本体と、    
該受信機本体に設置される撮影ユニットとが含有されることを特徴とする撮影機能付きの無線マウス受信機構造。    
【請求項１２】
該電気接続ポートは、ＵＳＢやＩＥＥＥ１３９４規格であることを特徴とする請求項１１に記載の撮影機能付きの無線マウス受信機構造。    
【請求項１３】
該電気接続ポートが、台座に挿設されることにより、電気的に接続されることを特徴とする請求項１１に記載の撮影機能付きの無線マウス受信機構造。    
【請求項１４】
該台座は、充電器であることを特徴とする請求項１３に記載の撮影機能付きの無線マウス受信機構造。    
【請求項１５】
該電気接続ポートが、固定クリップに挿設されることにより電気的に接続されることを特徴とする請求項１１に記載の撮影機能付きの無線マウス受信機構造。    
【請求項１６】
該撮影ユニットは、該受信機本体に内蔵されることを特徴とする請求項１１に記載の撮影機能付きの無線マウス受信機構造。    
【請求項１７】
該信号受信ユニットは、ブルートゥース無線通信受信モジュールやＧＳＭ無線通信受信モジュールであることを特徴とする請求項１１に記載の撮影機能付きの無線マウス受信機構造。    
【考案の詳細な説明】
【技術分野】
【０００１】
本考案は、撮影機能付きの無線マウス受信機構造に関し、特に、無線マウス受信機の機能が拡張されたものに関する。
【背景技術】
【０００２】
マウスは、コンピュータホストに欠如してはできない基本設備であり、現在、周辺製品も、無線化に向かって発展しつつ、そのため、無線マウスが、普及していて、無線マウスを使用するため、コンピュータホストにある一つの電気接続ポートが、無線マウス受信機を電気的に接続することに利用されることが必要である。
【０００３】
インターネットネット通信ソフトとビデオ通信技術が、素早く発展することにより、ウェブカムも、マウスと同じように普及され、不可欠の基本周辺配備になり。既存のウェブカムは、伝送線によりコンピュータホストに、電気的に接続され、ユーザーが、同時に無線マウスとウェブカムを使用する時、コンピュータホストの二つ以上の電気接続ポートが使用され、現在のコンピュータホストと周辺製品が、ともに、微細化と無線化に向かって発展する傾向があり、また、新規の周辺製品が、次々登場するため、各周辺製品のため、コンピュータホストの電気接続ポートに、それぞれ、一つの伝送線が接続されると、コンピュータホストの電気接続ポートが、不足になり、上記の方式は、コンピュータホストのハードウェア資源を無駄にするだけでなく、効率が良くなく、また、多数の伝送線が互いに絡み合って、美観ではなく、また、埃が容易に累積する。
【０００４】
コンピュータホストの電気接続ポートを増加する方法は、二つがあり、その一つは、コンピュータホストのメインボートの面積を増大することであり、この方法によれば、生産コストが高くなり、また、コンピュータホストの微細化傾向に背離し、そして、競争力が失ってしまう。もう一つ方法は、コンピュータホストのメインボートの面積をそのまま維持して、より多い電気接続ポートを有するコンピュータホストを開発することであり、この方法でも、生産コストと時間が必要であるため、実用的とは言えない。
【０００５】
一方、電子微細化技術の発達とともに、多い電子製品が、複合の機能を有するが、従来の無線マウスに、単一の機能だけを持ち、科技の発展が素早い現代において、単一機能である無線マウスの競争力が失い。また、外でビデオ通信を利用する場合、無線マウスと無線マウス受信機及びウェブカムが必要となるため、携帯するには、不便である。
【０００６】
本考案者は、上記の諸欠点を解消するため、慎重に研究して、また、学理を運用することにより、設計が合理的で、有効に上記の諸欠点を改善できる本考案を提案する。
【考案の開示】
【考案が解決しようとする課題】
【０００７】
本考案の主な目的は、有効に、コンピュータホストのハードウェア資源を利用でき、美観を維持でき、また、コストの節約と産業競争力の向上及び携帯便利性が実現される撮影機能付きの無線マウス受信機構造を提供する。
【課題を解決するための手段】
【０００８】
本考案は、上記の目的を達成するため、電気接続ポートが設けられる固定部材と、撮影ユニットが設けられる可動部材とが含有される受信機本体と、該固定部材と該可動部材との間に連接される回動連接部材と、該受信機本体に設置される信号受信ユニットと、が含有される撮影機能付きの無線マウス受信機構造である。
【０００９】
本考案によれば、次の効果が得られ、撮影ユニットが、受信機本体の可動部材に設けられるため、ユーザーが、コンピュータホストの一つの電気接続ポートを使用するだけで、同時に、無線マウスと撮影ユニットを操作でき、有効に、コンピュータホストの資源を利用し、コストや時間を費やしてコンピュータホストの規格を変更することが必要なく、コンピュータホストの電気接続ポートを、他の周辺設備に利用でき、コンピュータホストの機能が、より有効的に発揮できる。もう一方、撮影ユニットが、伝送線を介さずにコンピュータホストと通信でき、伝送線を省略できるため、美観且つ清潔のイメージが得られ。受信機本体と撮影ユニットとが、一体に統合されるため、無線マウスが、複合式機能を有する電子裝置になり、産業競争力が向上され、また、受信機本体自身に、携帯便利性を有し、外出してビデオ通信を使用する人々にとって、受信機本体と無線マウスだけを携帯すれば、ビデオ通信を利用できる。
【考案を実施するための最良の形態】
【００１０】
図１は、本考案の第１の実施例であり、本考案は、撮影機能付きの無線マウス受信機構造であり、受信機本体１と回動連接部材２及び信号受信ユニット３が含有され、該受信機本体１は、固定部材１１と可動部材１２が含有され、該固定部材１１に、電気接続ポート１１１が設けられ、該電気接続ポート１１１は、ＵＳＢ規格であるが、ＩＥＥＥ１３９４規格であっても良い。該可動部材１２に、撮影ユニット４が設けられ、該撮影ユニット４は、該可動部材１２に内蔵され、該電気接続ポート１１１は、コンピュータホスト５と電気的に接続される。
【００１１】
該回動連接部材２は、ユニバーサルジョイントであり、該固定部材１１と該可動部材１２とのの間に連接される。
【００１２】
該信号受信ユニット３は、ブルートゥース無線通信受信モジュールであり、無線マウス６から送信した電気信号を受信し、該信号受信ユニット３は、ＧＳＭ無線通信受信モジュールであっても良い。該信号受信ユニット３は、該可動部材１２に設置されてもいいし、該受信機本体１の固定部材１１（図に表示せず）に設置されても良い。
【００１３】
図２と図３を参照しながら、該回動連接部材２を回動すると、該可動部材１２が連動されて回動し、これにより、該可動部材１２上に位置する撮影ユニット４は、多角度で撮影できる。
【００１４】
図４は、本考案の第２の実施例であり、該電気接続ポート１１１は、台座７に挿設され、該台座７は、充電器で、電気接続ポート７１が設けられ、該固定部材１１の電気接続ポート１１１と該台座７の電気接続ポート７１とが、電気的に接続されると、該台座７の伝送線と該コンピュータホスト５（図に表示せず）とが電気的に接続される。
【００１５】
図５と図６は、本考案の第３の実施例であり、該電気接続ポート１１１は、固定クリップ８に挿設されて電気的に接続され、該固定クリップ８に、電気接続ポート８１が設けられ、該固定部材１１の電気接続ポート１１１と該台座８の電気接続ポート８１とが電気的に接続されると、該固定クリップ８の伝送線と該コンピュータホスト５（図に表示せず）とが電気的に接続され、本考案は、該固定クリップ８を使用することにより、コンピュータのスクリーン９の任意の位置に固定できる。
【００１６】
図７は、本考案の第４の実施例であり、該可動部材１２は、連接部１２１と撮影部１２２が含有され、該連接部１２１と該回動連接部材２とが連接され、該撮影ユニット４が、該撮影部１２２に設けられ、該連接部１２１に、第１の連接器１２１１が設けられ、また、該撮影部１２２に、第２の連接器１２２１が設けられ、該第１の連接器１２１１と該第２の連接器１２２１とが、それぞれ、雄ＵＳＢ規格と雌ＵＳＢ規格であり、該第１の連接器１２１１が、該第２の連接器１２２１に電気的に接続されると、該第１の連接器１２１１と該第２の連接器１２２１とは、ＩＥＥＥ１３９４規格であっても良い。
【００１７】
図８は、本考案の第５の実施例であり、該第１の連接器１２１１と該第２の連接器１２２１とは、それぞれ、雌ＵＳＢ規格と雄ＵＳＢ規格であっても良いし、該第１の連接器１２１１と該第２の連接器１２２１とは、ＩＥＥＥ１３９４規格を使用しても良い。
【００１８】
図９と図１０は、本考案の第６と第７の実施例であり、受信機本体１０は、電気接続ポート１０１と信号受信ユニット１０２及び撮影ユニット１０３が設けられ、該電気接続ポート１０１は、ＵＳＢ規格であっても良いし、ＩＥＥＥ１３９４規格でも良く、該信号受信ユニット１０２は、ブルートゥース（登録商標）無線通信受信モジュールでも良いし、ＧＳＭ無線通信受信モジュールでも良い。該電気接続ポート１０１は、該台座７の電気接続ポート７１に電気的に接続され、該台座７の伝送線は、該コンピュータホスト５（図に表示せず）に電気的に接続される。
【００１９】
図１１と図１２は、本考案の第８と第９の実施例であり、該受信機本体１０の電気接続ポート１０１は、該固定クリップ８の電気接続ポート８１に電気的に接続され、該固定クリップ８の伝送線は、該コンピュータホスト５（図に表示せず）に電気的に接続される。本考案は、該固定クリップ８を使用することにより、該コンピュータスクリーン９に固定することが便利になる。
【００２０】
本考案に係わる撮影機能付きの無線マウス受信機構造は、次の利点が得られる。
【００２１】
１、可動部材１２が該受信機本体１に設けられた該撮影ユニット４により、ユーザーが、該コンピュータホスト５の一つの電気接続ポートだけを使用して、同時に、該無線マウス６と該撮影ユニット４を操作でき、有効的に、該コンピュータホスト５のハードウェア資源を利用でき、余計なコストや時間を費やしてコンピュータホスト５の規格を変更することが必要なく、そして、該コンピュータホスト５に、一つの電気接続ポートが余って、他の周辺設備が連接されることができ、そのため、該コンピュータホスト５の機能が、より有効的に発揮できる。
【００２２】
２、該撮影ユニット４は、伝送線を介さずに該コンピュータホスト５に接続できるため、伝送線を省略でき、より美観的である。
【００２３】
３、該固定部１１の電気接続ポート１１１は、固定クリップ８に挿設されて電気的に接続され、本考案は、該固定クリップ８を利用することにより、コンピュータスクリーン９の任意の位置に固定することが容易である。
【００２４】
４、該撮影ユニット４と該受信機本体１は、一体に統合されて、無線マウス６が、複合式機能の電子裝置になるため、より良い産業競争力が得られ、また、受信機本体１自身に、携帯便利性を有し、外出してビデオ通信を使用する人々にとって、受信機本体１と無線マウス６だけを携帯すれば、ビデオ通信機能を利用できる。
【００２５】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。    
【図面の簡単な説明】
【００２６】
【図１】本考案の第１の実施例の斜視図
【図２】本考案の回動連接部材の回動状態を示す図（１）
【図３】本考案の回動連接部材の回動状態を示す図（２）
【図４】本考案の第２の実施例の斜視図
【図５】本考案の第３の実施例の斜視図（１）
【図６】本考案の第３の実施例の斜視図（２）
【図７】本考案の第４の実施例の斜視図
【図８】本考案の第５の実施例の斜視図
【図９】本考案の第６の実施例の斜視図
【図１０】本考案の第７の実施例の斜視図
【図１１】本考案の第８の実施例の斜視図
【図１２】本考案の第９の実施例の斜視図
【符号の説明】
【００２７】
１        受信機本体
１０      受信機本体
１０１    電気接続ポート
１０２    信号受信ユニット
１０３    撮影ユニット
１１      固定部材
１１１    電気接続ポート
１２      可動部材
１２１    連接部
１２１１  第１の連接器
１２２    撮影部
１２２１  第２の連接器
２        回動連接部材
３        信号受信ユニット
４        撮影ユニット
５        コンピュータホスト
６        無線マウス
７        台座
７１      電気接続ポート
８        固定クリップ
８１      電気接続ポート
９        コンピュータスクリーン
【図２】
0003132530.tif 000003
【図３】
0003132530.tif 000004
【図４】
0003132530.tif 000005
【図５】
0003132530.tif 000006
【図６】
0003132530.tif 000007
【図７】
0003132530.tif 000008
【図８】
0003132530.tif 000009
【図９】
0003132530.tif 000010
【図１０】
0003132530.tif 000011
【図１１】
0003132530.tif 000012
【図１２】
0003132530.tif 000013
【図１】
0003132530.tif 000014